【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
（１）式Ｉの少なくとも１つの化合物および／または式ＩＩの少なくとも１つの化合物を重合することにより高分子前駆体を調製する工程であって、
【化１】
2005510605.tif 000001
ｘは０から４であり；
ｙは０から２であり；
各々のＲ’は独立して、水素またはアルキル、アルコキシアルキル、カルボニルアルキル、または両方のＲ’基を一緒にさせることにより形成されるクラウンエーテルから選択されるヒドロキシル保護基であり；
Ｒ１およびＲ２の各々は独立して、水素、線状または分枝状アルキル、シクロアルキル、アセタール、ケタール、アリール、アルコキシ、シクロアルコキシ、アリールオキシ、エステル、ニトリル、フッ素、塩素、臭素、ペルハロアルキル、ヒドロカルビルスルフィニル、ヒドロカルビルスルホニル、ホルミル、ヒドロカルビルカルボニルおよび環式エーテルであり；
但し、少なくとも２つのＲ１または少なくとも２つのＲ２または少なくとも１つのＲ１および少なくとも１つのＲ２は互いに反応でき、式Ｉに示される少なくとも１つの置換２，２’−ジヒドロキシル−１，１’−ビナフタレンおよび／または式ＩＩに示される置換２，２’−ジヒドロキシル−１，１’−ビフェニレンのアリール−アリールカップリングを生じさせるという条件が付き、
前記アリール−アリールカップリングは、
ｉ．  式Ｉの少なくとも１つの化合物および／または式ＩＩの少なくとも１つの化合物を結合する炭素−炭素結合を形成させるための重合；または
ｉｉ．  式Ｉの化合物が１つ以下のエステル基を有することができるという条件で、式Ｉの少なくとも１つの化合物および／または式ＩＩの少なくとも１つの化合物と反応できる少なくとも１つのＲ１および少なくとも１つのＲ２を有するアリールコモノマーの存在下で、式Ｉの少なくとも１つの化合物および／または式ＩＩの少なくとも１つの化合物の共重合；または
ｉｉｉ．  少なくとも１つのジアルキル化コモノマーまたはジベンジル化コモノマーまたはジアシル化コモノマーの存在下で、式Ｉの少なくとも１つの化合物および／または式ＩＩの少なくとも１つの化合物のフリーデル−クラフツ反応による式Ｉの少なくとも１つの化合物および／または式ＩＩの少なくとも１つの化合物の共重合；または
ｉｖ．  式ＩＩの少なくとも１つの化合物とアルデヒドとの共重合
によって達成される工程；および
（２）Ｒ’がヒドロキシル保護基である場合、Ｒ’をＨまたはアルカリ金属、またはアルカリ性金属に変換する工程；および
（３）Ｒ’がヒドロキシル保護基以外である場合の工程（１）の生成物、またはＲ’がヒドロキシル保護基である場合の工程（１）および工程（２）の生成物を、少なくとも１種のジアリールオキシホスファイト［−Ｐ（−Ｏ−Ａｒ）２］、ジアリールホスフィン［−Ｐ（Ａｒ）２］、および／またはアリール、アリールオキシホスフィナイト［−Ｐ（Ａｒ）（−Ｏ−Ａｒ）］（式中、各々のＡｒは独立して、フェニルまたはナフチルであるが、同一のリン原子に直接的または間接的に結合している２つのＡｒ基が、直接結合、アルキリデン、第二級または第三級アミン、酸素、スルフィド、スルホン、およびスルホキシドから選択される結合単位により互いに結合し得るという条件が付き；
そして、各々のＡｒは、Ｃ１〜Ｃ２０分枝鎖または直鎖アルキル、Ｃ１〜Ｃ２０シクロアルキル、Ｃ６〜Ｃ２０アリール、アセタール、ケタール、シクロアルコキシ、アリールオキシ、ペルハロアルキル、フッ素、塩素、臭素、ホルミル、エステル、ヒドロカルビルスルフィニル、ヒドロカルビルスルホニル、ヒドロカルビルカルボニル、環式エーテル、−ＯＲ３、−ＣＯ２Ｒ３、−ＳＯ３Ｒ３、−Ｓ（Ｏ）Ｒ３、−ＳＯ２Ｒ３、−ＣＨＯ、−Ｃ（Ｏ）Ｒ３、またはＣＮによりさらに置換することができ；式中、各々のＲ３は独立して、Ｃ１〜Ｃ２０分枝鎖または直鎖アルキル、Ｃ１〜Ｃ２０シクロアルキル、またはＣ６〜Ｃ２０アリールである）によりホスホニル化する工程、
により高分子リン含有組成物を調製することを特徴とする方法。
【請求項２】
請求項１に記載されるとおりに製造されることを特徴とする高分子リン含有組成物。
【請求項３】
１つ以下のエステル基を含有するという条件で、式ＩＩＩに示される少なくとも１つの置換ホスホニル化２，２’−ジヒドロキシル−１，１’−ビナフタレンおよび／または式ＩＶに示される少なくとも１つの置換２，２’−ジヒドロキシル−１，１’−ビフェニレンを含む組成物を、少なくとも２つのボロン酸官能基、ジヒドロキシアリール架橋基および／またはジアミンアリール架橋基を含有するアリールコモノマーと共重合して、アリール−アリールカップリングを実行し、ホスファイト含有ポリマーを生成することにより高分子リン含有組成物を作製することを特徴とする方法。
【化２】
2005510605.tif 000002
（式中、
ｘは０から４であり；
ｙは０から２であり；
ａおよびｂは独立して、ａ＋ｂ＝２という条件で０、１または２のいずれかであり；
各々のＡｒは独立して、フェニルまたはナフチルであるが、同一のリン原子に直接的または間接的に結合している２つのＡｒ基が、直接結合、アルキリデン、第二級または第三級アミン、酸素、スルフィド、スルホン、およびスルホキシドから選択される結合単位により互いに結合し得るという条件が付き、；
各々のＡｒは、Ｃ１〜Ｃ２０分枝鎖または直鎖アルキル、Ｃ１〜Ｃ２０シクロアルキル、Ｃ６〜Ｃ２０アリール、アセタール、ケタール、シクロアルコキシ、アリールオキシ、ペルハロアルキル、フッ素、塩素、臭素、ホルミル、エステル、ヒドロカルビルスルフィニル、ヒドロカルビルスルホニル、ヒドロカルビルカルボニル、環式エーテル、−ＯＲ３、−ＣＯ２Ｒ３、−ＳＯ３Ｒ３、−Ｓ（Ｏ）Ｒ３、−ＳＯ２Ｒ３、−ＣＨＯ、−Ｃ（Ｏ）Ｒ３、およびＣＮによりさらに置換することができ；式中、各々のＲ３は独立して、Ｃ１〜Ｃ２０分枝鎖または直鎖アルキル、Ｃ１〜Ｃ２０シクロアルキル、またはＣ６〜Ｃ２０アリールであり；
そして、Ｒ１およびＲ２の各々は独立して、水素、直鎖または分枝鎖アルキル、シクロアルキル、アセタール、ケタール、アリール、アルコキシ、シクロアルコキシ、アリールオキシ、エステル、アミン、ボロン酸、ボロン酸エステル、ニトリル、フッ素、塩素、臭素、ペルハロアルキル、ヒドロカルビルスルフィニル、ヒドロカルビルスルホニル、ホルミル、ヒドロカルビルカルボニル、または環式エーテルであるが、
少なくとも２つのＲ１または少なくとも２つのＲ２または少なくとも１つのＲ１および少なくとも１つのＲ２は互いに反応でき、式ＩＩＩに示される少なくとも１つの置換ホスホニル化２，２’−ジヒドロキシル−１，１’−ビナフタレンおよび／または式ＩＶに示される置換２，２’−ジヒドロキシル−１，１’−ビフェニレンのアリール−アリールカップリングを生じさせるという条件が付く。）
【請求項４】
請求項３に記載されるとおりに製造されることを特徴とする高分子リン含有組成物。
【請求項５】
（１）構造：
【化３】
2005510605.tif 000003
（式中、
Ｗは、Ｃ6〜Ｃ20アリーレン、Ｃ1〜Ｃ20アルキレンおよびシクロアルキレンから選択され；
各々のＲ’は独立して、水素または、限定はしないが、アルキル、アルコキシアルキル、カルボニルアルキル、または両方のＲ’基を一緒にさせることにより形成されるクラウンエーテルから選択されるヒドロキシル保護基であり；
各々のＲ4は独立して、Ｈ、Ｃ1〜Ｃ20分枝鎖または直鎖アルキル、Ｃ1〜Ｃ20シクロアルキル、またはＣ6〜Ｃ20アリールであり；
各々のＲ5は独立して、Ｃ1〜Ｃ20分枝鎖または直鎖アルキル、Ｃ1〜Ｃ20シクロアルキル、またはＣ6〜Ｃ20アリールである）を有するモノマーのアリール−アリール酸化的カップリング；および
（２）Ｒ’を、ジアリールオキシホスファイト［−Ｐ（−Ｏ−Ａｒ）2］、ジアリールホスフィン［−Ｐ（Ａｒ）2］、および／またはアリール，アリールオキシホスフィナイト［−Ｐ（Ａｒ）（−Ｏ−Ａｒ）］（式中、各々のＡｒは独立して、フェニル、置換フェニル、ナフチルまたは置換ナフチルであるが、同一のリン原子に直接的または間接的に結合している２つのＡｒ基が、直接結合、アルキリデン、第二級または第三級アミン、酸素、スルフィド、スルホン、およびスルホキシドから選択される結合単位により互いに結合し得るという条件が付き；そして、各々のＡｒは、Ｃ1〜Ｃ20分枝鎖また直鎖アルキル、Ｃ1〜Ｃ20シクロアルキル、Ｃ6〜Ｃ20アリール、アセタール、ケタール、シクロアルコキシ、アリールオキシ、ペルハロアルキル、フッ素、塩素、臭素、ホルミル、エステル、ヒドロカルビルスルフィニル、ヒドロカルビルスルホニル、ヒドロカルビルカルボニル、環式エーテル、−ＯＲ3、−ＣＯ2Ｒ3、−ＳＯ3Ｒ3、−Ｓ（Ｏ）Ｒ3、−ＳＯ2Ｒ3、−ＣＨＯ、−Ｃ（Ｏ）Ｒ3、およびＣＮによりさらに置換することができ；式中、各々のＲ3は独立して、Ｃ1〜Ｃ20分枝鎖または直鎖アルキル、Ｃ1〜Ｃ20シクロアルキル、またはＣ6〜Ｃ20アリールである）から選択される置換基により変換する工程、
により高分子リン含有組成物を調製することを特徴とする方法。
【請求項６】
請求項５に記載されるとおりに製造されることを特徴とする高分子リン含有組成物。
【手続補正２】
【補正対象書類名】明細書
【補正対象項目名】０１９７
【補正方法】変更
【補正の内容】
【０１９７】
このように、ある程度具体性をもって本発明を説明し、例示したが、以下の請求項は、それに限定されるものではなく、請求項の各構成要素およびその等価体の表現と同程度の範囲が許容されることを認識すべきである。
本出願は、特許請求の範囲に記載した発明を含め、以下の発明を包含する。
（Ｉ）  （１）式Ｉの少なくとも１つの化合物および／または式ＩＩの少なくとも１つの化合物を重合することにより高分子前駆体を調製する工程であって、
【化１】
2005510605.tif 000004
ｘは０から４であり；
ｙは０から２であり；
各々のＲ’は独立して、水素またはアルキル、アルコキシアルキル、カルボニルアルキル、または両方のＲ’基を一緒にさせることにより形成されるクラウンエーテルから選択されるヒドロキシル保護基であり；
Ｒ１およびＲ２の各々は独立して、水素、線状または分枝状アルキル、シクロアルキル、アセタール、ケタール、アリール、アルコキシ、シクロアルコキシ、アリールオキシ、エステル、ニトリル、フッ素、塩素、臭素、ペルハロアルキル、ヒドロカルビルスルフィニル、ヒドロカルビルスルホニル、ホルミル、ヒドロカルビルカルボニルおよび環式エーテルであり；
但し、少なくとも２つのＲ１または少なくとも２つのＲ２または少なくとも１つのＲ１および少なくとも１つのＲ２は互いに反応でき、式Ｉに示される少なくとも１つの置換２，２’−ジヒドロキシル−１，１’−ビナフタレンおよび／または式ＩＩに示される置換２，２’−ジヒドロキシル−１，１’−ビフェニレンのアリール−アリールカップリングを生じさせるという条件が付き、
前記アリール−アリールカップリングは、
ｉ．  式Ｉの少なくとも１つの化合物および／または式ＩＩの少なくとも１つの化合物を結合する炭素−炭素結合を形成させるための重合；または
ｉｉ．  式Ｉの化合物が１つ以下のエステル基を有することができるという条件で、式Ｉの少なくとも１つの化合物および／または式ＩＩの少なくとも１つの化合物と反応できる少なくとも１つのＲ１および少なくとも１つのＲ２を有するアリールコモノマーの存在下で、式Ｉの少なくとも１つの化合物および／または式ＩＩの少なくとも１つの化合物の共重合；または
ｉｉｉ．  少なくとも１つのジアルキル化コモノマーまたはジベンジル化コモノマーまたはジアシル化コモノマーの存在下で、式Ｉの少なくとも１つの化合物および／または式ＩＩの少なくとも１つの化合物のフリーデル−クラフツ反応による式Ｉの少なくとも１つの化合物および／または式ＩＩの少なくとも１つの化合物の共重合；または
ｉｖ．  式ＩＩの少なくとも１つの化合物とアルデヒドとの共重合
によって達成される工程；および
（２）Ｒ’がヒドロキシル保護基である場合、Ｒ’をＨまたはアルカリ金属、またはアルカリ性金属に変換する工程；および
（３）Ｒ’がヒドロキシル保護基以外である場合の工程（１）の生成物、またはＲ’がヒドロキシル保護基である場合の工程（１）および工程（２）の生成物を、少なくとも１種のジアリールオキシホスファイト［−Ｐ（−Ｏ−Ａｒ）２］、ジアリールホスフィン［−Ｐ（Ａｒ）２］、および／またはアリール、アリールオキシホスフィナイト［−Ｐ（Ａｒ）（−Ｏ−Ａｒ）］（式中、各々のＡｒは独立して、フェニルまたはナフチルであるが、同一のリン原子に直接的または間接的に結合している２つのＡｒ基が、直接結合、アルキリデン、第二級または第三級アミン、酸素、スルフィド、スルホン、およびスルホキシドから選択される結合単位により互いに結合し得るという条件が付き；
そして、各々のＡｒは、Ｃ１〜Ｃ２０分枝鎖または直鎖アルキル、Ｃ１〜Ｃ２０シクロアルキル、Ｃ６〜Ｃ２０アリール、アセタール、ケタール、シクロアルコキシ、アリールオキシ、ペルハロアルキル、フッ素、塩素、臭素、ホルミル、エステル、ヒドロカルビルスルフィニル、ヒドロカルビルスルホニル、ヒドロカルビルカルボニル、環式エーテル、−ＯＲ３、−ＣＯ２Ｒ３、−ＳＯ３Ｒ３、−Ｓ（Ｏ）Ｒ３、−ＳＯ２Ｒ３、−ＣＨＯ、−Ｃ（Ｏ）Ｒ３、またはＣＮによりさらに置換することができ；式中、各々のＲ３は独立して、Ｃ１〜Ｃ２０分枝鎖または直鎖アルキル、Ｃ１〜Ｃ２０シクロアルキル、またはＣ６〜Ｃ２０アリールである）によりホスホニル化する工程、
により高分子リン含有組成物を調製することを特徴とする方法。
（ＩＩ）  （Ｉ）に記載されるとおりに製造されることを特徴とする高分子リン含有組成物。
（ＩＩＩ）  １つ以下のエステル基を含有するという条件で、式ＩＩＩに示される少なくとも１つの置換ホスホニル化２，２’−ジヒドロキシル−１，１’−ビナフタレンおよび／または式ＩＶに示される少なくとも１つの置換２，２’−ジヒドロキシル−１，１’−ビフェニレンを含む組成物を、少なくとも２つのボロン酸官能基、ジヒドロキシアリール架橋基および／またはジアミンアリール架橋基を含有するアリールコモノマーと共重合して、アリール−アリールカップリングを実行し、ホスファイト含有ポリマーを生成することにより高分子リン含有組成物を作製することを特徴とする方法。
【化２】
2005510605.tif 000005
（式中、
ｘは０から４であり；
ｙは０から２であり；
ａおよびｂは独立して、ａ＋ｂ＝２という条件で０、１または２のいずれかであり；
各々のＡｒは独立して、フェニルまたはナフチルであるが、同一のリン原子に直接的または間接的に結合している２つのＡｒ基が、直接結合、アルキリデン、第二級または第三級アミン、酸素、スルフィド、スルホン、およびスルホキシドから選択される結合単位により互いに結合し得るという条件が付き、；
各々のＡｒは、Ｃ１〜Ｃ２０分枝鎖または直鎖アルキル、Ｃ１〜Ｃ２０シクロアルキル、Ｃ６〜Ｃ２０アリール、アセタール、ケタール、シクロアルコキシ、アリールオキシ、ペルハロアルキル、フッ素、塩素、臭素、ホルミル、エステル、ヒドロカルビルスルフィニル、ヒドロカルビルスルホニル、ヒドロカルビルカルボニル、環式エーテル、−ＯＲ３、−ＣＯ２Ｒ３、−ＳＯ３Ｒ３、−Ｓ（Ｏ）Ｒ３、−ＳＯ２Ｒ３、−ＣＨＯ、−Ｃ（Ｏ）Ｒ３、およびＣＮによりさらに置換することができ；式中、各々のＲ３は独立して、Ｃ１〜Ｃ２０分枝鎖または直鎖アルキル、Ｃ１〜Ｃ２０シクロアルキル、またはＣ６〜Ｃ２０アリールであり；
そして、Ｒ１およびＲ２の各々は独立して、水素、直鎖または分枝鎖アルキル、シクロアルキル、アセタール、ケタール、アリール、アルコキシ、シクロアルコキシ、アリールオキシ、エステル、アミン、ボロン酸、ボロン酸エステル、ニトリル、フッ素、塩素、臭素、ペルハロアルキル、ヒドロカルビルスルフィニル、ヒドロカルビルスルホニル、ホルミル、ヒドロカルビルカルボニル、または環式エーテルであるが、
少なくとも２つのＲ１または少なくとも２つのＲ２または少なくとも１つのＲ１および少なくとも１つのＲ２は互いに反応でき、式ＩＩＩに示される少なくとも１つの置換ホスホニル化２，２’−ジヒドロキシル−１，１’−ビナフタレンおよび／または式ＩＶに示される置換２，２’−ジヒドロキシル−１，１’−ビフェニレンのアリール−アリールカップリングを生じさせるという条件が付く。）
（ＩＶ）  （ＩＩＩ）に記載されるとおりに製造されることを特徴とする高分子リン含有組成物。
（Ｖ）  （１）構造：
【化３】
2005510605.tif 000006
（式中、
Ｗは、Ｃ6〜Ｃ20アリーレン、Ｃ1〜Ｃ20アルキレンおよびシクロアルキレンから選択され；
各々のＲ’は独立して、水素または、限定はしないが、アルキル、アルコキシアルキル、カルボニルアルキル、または両方のＲ’基を一緒にさせることにより形成されるクラウンエーテルから選択されるヒドロキシル保護基であり；
各々のＲ4は独立して、Ｈ、Ｃ1〜Ｃ20分枝鎖または直鎖アルキル、Ｃ1〜Ｃ20シクロアルキル、またはＣ6〜Ｃ20アリールであり；
各々のＲ5は独立して、Ｃ1〜Ｃ20分枝鎖または直鎖アルキル、Ｃ1〜Ｃ20シクロアルキル、またはＣ6〜Ｃ20アリールである）を有するモノマーのアリール−アリール酸化的カップリング；および
（２）Ｒ’を、ジアリールオキシホスファイト［−Ｐ（−Ｏ−Ａｒ）2］、ジアリールホスフィン［−Ｐ（Ａｒ）2］、および／またはアリール，アリールオキシホスフィナイト［−Ｐ（Ａｒ）（−Ｏ−Ａｒ）］（式中、各々のＡｒは独立して、フェニル、置換フェニル、ナフチルまたは置換ナフチルであるが、同一のリン原子に直接的または間接的に結合している２つのＡｒ基が、直接結合、アルキリデン、第二級または第三級アミン、酸素、スルフィド、スルホン、およびスルホキシドから選択される結合単位により互いに結合し得るという条件が付き；そして、各々のＡｒは、Ｃ1〜Ｃ20分枝鎖また直鎖アルキル、Ｃ1〜Ｃ20シクロアルキル、Ｃ6〜Ｃ20アリール、アセタール、ケタール、シクロアルコキシ、アリールオキシ、ペルハロアルキル、フッ素、塩素、臭素、ホルミル、エステル、ヒドロカルビルスルフィニル、ヒドロカルビルスルホニル、ヒドロカルビルカルボニル、環式エーテル、−ＯＲ3、−ＣＯ2Ｒ3、−ＳＯ3Ｒ3、−Ｓ（Ｏ）Ｒ3、−ＳＯ2Ｒ3、−ＣＨＯ、−Ｃ（Ｏ）Ｒ3、およびＣＮによりさらに置換することができ；式中、各々のＲ3は独立して、Ｃ1〜Ｃ20分枝鎖または直鎖アルキル、Ｃ1〜Ｃ20シクロアルキル、またはＣ6〜Ｃ20アリールである）から選択される置換基により変換する工程、
により高分子リン含有組成物を調製することを特徴とする方法。
（ＶＩ）  （Ｖ）に記載されるとおりに製造されることを特徴とする高分子リン含有組成物。
（ＶＩＩ）  （ＩＩ）、（ＩＶ）または（ＶＩ）に記載の少なくとも１つの高分子リン含有組成物、および少なくとも１種の第ＶＩＩＩ族金属を含むことを特徴とする触媒組成物。
（ＶＩＩＩ）  前記第ＶＩＩＩ族金属が、ニッケル、パラジウム、コバルトであることを特徴とする（ＶＩＩ）に記載の触媒組成物。
（ＩＸ）  前記第ＶＩＩＩ族金属が、ロジウム、イリジウム、および白金であることを特徴とする（ＶＩＩ）に記載の触媒組成物。
（Ｘ）  前記第ＶＩＩＩ族金属がニッケルであることを特徴とする（ＶＩＩＩ）に記載の触媒組成物。
（ＸＩ）  ルイス酸をさらに含むことを特徴とする（ＶＩＩＩ）または（Ｘ）に記載の触媒組成物。
（ＸＩＩ）  前記ルイス酸が、ＺｎＢｒ2、ＺｎＩ2、ＺｎＣｌ2、ＺｎＳＯ4、ＣｕＣｌ2、ＣｕＣｌ、Ｃｕ（Ｏ3ＳＣＦ3）2、ＣｏＣｌ2、ＣｏＩ2、ＦｅＩ2、ＦｅＣｌ3、ＦｅＣｌ2、ＦｅＣｌ2（ＴＨＦ）2、ＴｉＣｌ4（ＴＨＦ）2、ＴｉＣｌ2、ＣｌＴｉ（ＯｉＰｒ）2、ＭｎＣｌ2、ＳｃＣｌ3、ＡｌＣｌ3、（Ｃ8Ｈ17）ＡｌＣｌ2、（Ｃ8Ｈ17）2ＡｌＣｌ、（ｉｓｏ−Ｃ4Ｈ9）2ＡｌＣｌ、Ｐｈ2ＡｌＣｌ、ＰｈＡｌＣｌ2、ＲｅＣｌ5、ＺｒＣｌ4、ＮｂＣｌ5、ＶＣｌ3、ＣｒＣｌ2、ＭｏＣｌ5、ＹＣｌ3、ＣｄＣｌ2、ＬａＣｌ3、Ｅｒ（Ｏ3ＳＣＦ3）3、Ｙｂ（Ｏ2ＣＣＦ3）3、ＳｍＣｌ3、Ｂ（Ｃ6Ｈ5）3、ＸがＣＦ3ＳＯ3、ＣＨ3Ｃ6Ｈ5ＳＯ3または（Ｃ6Ｈ5）3ＢＣＮである（Ｃ6Ｈ5）3ＳｎＸ、Ｂ（Ｃ6Ｈ5）3、およびＴａＣｌ5よりなる群から選択されることを特徴とする（ＸＩ）に記載の触媒組成物。
（ＸＩＩＩ）  前記ルイス酸が塩化亜鉛または塩化鉄であることを特徴とする（ＸＩＩ）に記載の触媒組成物。
（ＸＩＶ）  不飽和有機化合物を、（ＩＩ）、（ＩＶ）または（ＶＩ）に記載の少なくとも１つの組成物、ならびに少なくとも１種の第ＶＩＩＩ族金属および場合によってはルイス酸を含む触媒組成物の存在下で、ＨＣＮと接触させることを含むことを特徴とするヒドロシアン化方法。
（ＸＶ）  前記ルイス酸が、ＺｎＢｒ2、ＺｎＩ2、ＺｎＣｌ2、ＺｎＳＯ4、ＣｕＣｌ2、ＣｕＣｌ、Ｃｕ（Ｏ3ＳＣＦ3）2、ＣｏＣｌ2、ＣｏＩ2、ＦｅＩ2、ＦｅＣｌ3、ＦｅＣｌ2、ＦｅＣｌ2（ＴＨＦ）2、ＴｉＣｌ4（ＴＨＦ）2、ＴｉＣｌ2、ＣｌＴｉ（ＯｉＰｒ）2、ＭｎＣｌ2、ＳｃＣｌ3、ＡｌＣｌ3、（Ｃ8Ｈ17）ＡｌＣｌ2、（Ｃ8Ｈ17）2ＡｌＣｌ、（ｉｓｏ−Ｃ4Ｈ9）2ＡｌＣｌ、Ｐｈ2ＡｌＣｌ、ＰｈＡｌＣｌ2、ＲｅＣｌ5、ＺｒＣｌ4、ＮｂＣｌ5、ＶＣｌ3、ＣｒＣｌ2、ＭｏＣｌ5、ＹＣｌ3、ＣｄＣｌ2、ＬａＣｌ3、Ｅｒ（Ｏ3ＳＣＦ3）3、Ｙｂ（Ｏ2ＣＣＦ3）3、ＳｍＣｌ3、Ｂ（Ｃ6Ｈ5）3、ＸがＣＦ3ＳＯ3、ＣＨ3Ｃ6Ｈ5ＳＯ3または（Ｃ6Ｈ5）3ＢＣＮである（Ｃ6Ｈ5）3ＳｎＸ、Ｂ（Ｃ6Ｈ5）3、およびＴａＣｌ5よりなる群から選択されることを特徴とする（ＸＩＶ）に記載のヒドロシアン化方法。
（ＸＶＩ）  前記ルイス酸が塩化亜鉛または塩化鉄であることを特徴とする（ＸＶ）に記載のヒドロシアン化方法。
（ＸＶＩＩ）  前記第ＶＩＩＩ族金属が、ニッケル、パラジウム、またはコバルトであることを特徴とする（ＸＶＩ）に記載のヒドロシアン化方法。
（ＸＶＩＩＩ）  前記不飽和有機化合物が、３−ペンテンニトリルまたは４−ペンテンニトリルであり、前記第ＶＩＩＩ族金属がニッケルであることを特徴とする（ＸＶＩＩ）に記載のヒドロシアン化方法。
（ＸＩＸ）  前記ＨＣＮが、２０ｐｐｍ未満の二酸化硫黄、４０ｐｐｍ未満の硫酸、２０ｐｐｍ未満のシアノーゲン、１０ｐｐｍ未満のエポキシド、２０ｐｐｍ未満のアクリロニトリル、および１００ｐｐｍ未満の過酸化物類を含有し、前記ペンテンニトリル類が１００ｐｐｍ未満の過酸化物類を含有することを特徴とする（ＸＶＩＩＩ）に記載のヒドロシアン化方法。
（ＸＸ）  前記第ＶＩＩＩ族金属がニッケルであり、前記不飽和有機化合物が１，３−ブタジエンであることを特徴とする（ＸＩＸ）に記載のヒドロシアン化方法。
（ＸＸＩ）  前記ＨＣＮが、２０ｐｐｍ未満の二酸化硫黄、４０ｐｐｍ未満の硫酸、２０ｐｐｍ未満のシアノーゲン、１０ｐｐｍ未満のエポキシド、２０ｐｐｍ未満のアクリロニトリル、および１００ｐｐｍ未満の過酸化物類を含有し、前記１，３−ブタジエンが５ｐｐｍ未満のｔ−ブチルカテコール、５００ｐｐｍ未満のビニルシクロヘキセン、および１００ｐｐｍ未満の過酸化物類を含有することを特徴とする（ＸＸ）に記載のヒドロシアン化方法。
（ＸＸＩＩ）  不飽和有機化合物を、（ＩＩ）、（ＩＶ）および／または（ＶＩ）に記載の少なくとも１つの組成物および少なくとも１種の第ＶＩＩＩ族金属を含む触媒組成物の存在下で、ＣＯおよびＨ2に接触させることを含むことを特徴とするヒドロホルミル化方法。
（ＸＸＩＩＩ）  前記第ＶＩＩＩ族金属が、ロジウム、イリジウム、または白金であることを特徴とする（ＸＸＩＩ）に記載のヒドロホルミル化方法。
（ＸＸＩＶ）  前記不飽和有機化合物が、３−ペンテンニトリル、３−ペンテン酸、３−ペンテナール、アリルアルコール、および３−ペンテン酸アルキルまたはこれらの混合物よりなる群から選択されることを特徴とする（ＸＸＩＩＩ）に記載のヒドロホルミル化方法。
（ＸＸＶ）  前記不飽和有機化合物が１００ｐｐｍ未満の過酸化物類を含有し、前記第ＶＩＩＩ族金属がロジウムであることを特徴とする（ＸＸＩＶ）に記載のヒドロホルミル化方法。
（ＸＸＶＩ）  不飽和有機ニトリル化合物を、（ＩＩ）、（ＩＶ）および／または（ＶＩ）に記載の少なくとも１つの組成物および少なくとも１種の第ＶＩＩＩ族金属を含む触媒組成物の存在下で反応させることを含むことを特徴とする異性化方法。
（ＸＸＶＩＩ）  前記第ＶＩＩＩ族金属が、ニッケル、パラジウム、またはコバルトであることを特徴とする（ＸＸＶＩ）に記載の異性化方法。
（ＸＸＶＩＩＩ）  前記不飽和有機ニトリル化合物が２−メチル−３−ブテンニトリルであり、前記第ＶＩＩＩ族金属がニッケルであることを特徴とする（ＸＸＶＩＩ）に記載の異性化方法。
（ＸＸＩＸ）  前記２−メチル−３−ブテンニトリルが、１００ｐｐｍ未満の過酸化物類を含有することを特徴とする（ＸＸＶＩＩＩ）に記載の異性化方法。